(57)【要約】  【課題】  端末装置への通信ネットワークの構築を不要とし、この端末装置として携帯型端末装置を利用し、設備コストを抑えたシステムとして、各患者の詳細な実施投薬情報を簡単に且つ確実にまた手軽にチェックでき、その実施投薬情報を種々の作業、業務に有効に活用できる、実施投薬情報チェックシステムを提供する。  【解決手段】  帳票作成装置８において、実施プロトコールファイル７から受ける患者別の処方情報と、実施投薬情報をコード化した２次元バーコードとを印字した２次元バーコード付き帳票が作成され、携帯型端末装置９において、帳票の２次元バーコードが読み取られ、その２次元バーコードから得られた実施投薬情報を表示させ、また、その実施投薬情報に含まれる薬品情報と、投与対象の薬品の容器から読み取った２次元バーコードから得られた薬品特定情報が照合され、その照合結果が報知される。【選択図】  図１
2005128666.tif 000002
【特許請求の範囲】
【請求項１】
複数の患者の各々に処方された処方箋の処方情報に基づいて各回に投与予定の１又は複数の薬品の薬品特定情報を含む実施投薬情報をチェックするシステムにおいて、
複数種の薬品の各々について薬品特定情報をコード化した２次元バーコードであって薬品を収容する容器に夫々表示された２次元バーコードと、
複数の患者の為の処方情報と実施投薬情報を記憶した電子カルテ手段と、
前記電子カルテ手段から受ける患者別の実施投薬情報をコード化した２次元バーコードを印字する印字情報を作成する２次元バーコード印字情報作成手段を有し且つ前記電子カルテ手段から受ける患者別の処方情報と前記２次元バーコードとを印字した２次元バーコード付き帳票を作成する帳票作成装置と、
２次元バーコード読取手段と、この２次元バーコード読取手段で帳票の２次元バーコードを読み取って得られた実施投薬情報を表示可能な表示手段と、その帳票から得られた実施投薬情報に含まれる薬品情報と投与対象の薬品の容器から２次元バーコード読取手段で読み取った２次元バーコードから得られた薬品特定情報とを照合する薬品チェック手段と、その照合結果を報知する報知手段とを有する端末装置と、
を備えたことを特徴とする実施投薬情報チェックシステム。
【請求項２】
前記端末装置が携帯型端末装置からなること特徴とする請求項１に記載の実施投薬情報チェックシステム。
【請求項３】
前記帳票作成装置は、各患者へ投与する注射薬についての実施投薬情報とその２次元バーコードを印字した帳票としての２次元バーコード付き注射箋を作成する注射箋作成手段を有することを特徴とする請求項２に記載の実施投薬情報チェックシステム。
【請求項４】
前記帳票作成装置は、各患者へ投与する薬品を入れる薬袋であって、前記薬品に関する実施投薬情報とその２次元バーコードを印字した帳票としての２次元バーコード付き薬袋を作成する薬袋作成手段を有することを特徴とする請求項２又は３に記載の実施投薬情報チェックシステム。
【請求項５】
前記帳票作成装置は、各患者に投与する輸液の容器に貼り付けるラベルであって、前記輸液に関する実施投薬情報とその２次元バーコードを印字した帳票としての２次元バーコード付きラベルを作成するラベル作成手段を有することを特徴とする請求項２又は３に記載の実施投薬情報チェックシステム。
【請求項６】
前記実施投薬情報は、投与する薬品の薬品情報以外に、投薬対象の患者の氏名、ＩＤ、年齢、性別の情報を含み、更に、その患者が入院患者の場合には入院病棟と病室の情報を含むことを特徴とする請求項２〜５の何れかに記載の実施投薬情報チェックシステム。
【請求項７】
前記実施投薬情報は、更に、投薬作業者、点滴速度、投与時間、投与ルートの情報を含むことを特徴とする請求項６に記載の実施投薬情報チェックシステム。
【請求項８】
前記携帯型端末装置は、前記バーコード読取手段で読み取った２次元バーコードから得られた情報を記憶する読み取り情報記憶手段を有することを特徴とする請求項２〜７の何れかに記載の実施投薬情報チェックシステム。
【発明の詳細な説明】
【技術分野】
【０００１】
本発明は、複数の患者の各々に処方された処方箋の処方情報に基づいて各回に投与予定の１又は複数の薬品の薬品特定情報を含む実施投薬情報をチェックするシステムに関するものである。
【背景技術】
【０００２】
従来、病院において、医師が入院患者又は外来患者を診察した後、患者に薬品の投与が必要な場合には、患者氏名等と共に、投与予定の１又は複数の薬品（処方薬）の薬品名とその用量及び用法等の処方情報を記載した処方箋を作成する。その処方箋の処方情報に基づいて、薬剤師が複数種の薬品の中から１又は複数の処方薬を取り揃えて、また、処方薬の調剤が必要な場合には調剤して用意する。
【０００３】
例えば、患者に注射薬を投与する場合、特に、調製が必要な注射薬については、複数の処方薬を取り揃えてトレイに入れて準備し、調製室において、トレイに入れた処方薬を調製（計量、混合等）し、その調製済みの注射薬が、投薬対象の患者がいる病棟の病室等まで運ばれて患者に点滴、注射により投与される。
【０００４】
ところで、処方薬を間違えて取り揃えて準備し、調製し、患者に投与する、という医療事故を防止するために、従来より種々の対策が講じられているが、近年、医療機関において、バーコード技術を利用して、種々のチェックを行う技術が広く普及しつつある。特に、２次元バーコードには、例えば、１Ｋバイトもの情報を記録することができ、この２次元バーコード技術を利用して医療事故を防止する技術が有効とされる。
【０００５】
特許文献１の処方箋作成装置では、電子カルテデータベースの記憶情報に基づいて、処方内容、コメント、症状、薬剤用法をコード化し、これらの情報を含む２次元バーコードを作成し、この２次元バーコード付き処方箋を作成して出力する。
【０００６】
特許文献２の投薬管理システムでは、患者識別情報を患者に付け、薬剤識別情報を薬剤に付け、患者に薬剤を投与する際、その患者識別情報と薬剤識別情報とを携帯端末の読取装置で読み取り、これらの情報と携帯端末に記憶された投薬指示データとに基づいて、投薬チェックを行う。
【０００７】
特許文献３の注射薬準備確認システムでは、処方情報に基づいて薬剤を取り揃えてトレイに収容すると共に、その薬剤に照合情報としての患者ＩＤの情報を含むバーコードを印字した照合ラベルを貼り付ける。混注前に、携帯端末において、薬剤の照合ラベルのバーコードを読み取り、読み取った情報を、ホストコンピュータから読み込んだ医師の注射処方情報と自動的に照合し、その照合結果に基づいて混注を行う。ここで、携帯端末には、読み取ったバーコードの患者ＩＤに対応する処方情報（注射薬、処方内容）を表示させることもできる。照合情報として患者ＩＤとしているが、その他、トレイ識別番号、日付や順番、物品ＩＤを含めてよいこと、また、薬品に患者ＩＤ及び処方情報を２次元バーコードで印字した照合ラベルを貼り付けることも記載されている。
【０００８】
特許文献４の２次元バーコードシステムでは、患者氏名、読みがな、電話番号、生年月日、保険種別、番号、処方医師名、処方医療機関名、処方日、受付日、調整情報、等の情報をコード化した２次元バーコーを患者薬袋に添付する。
【０００９】
また、非特許文献１には、一度読み取った薬品のパッケージのバーコードと同じバーコードをスキャンすると照合完了の音声が発声され、異なると照合不可能の音声が発声される。購入した薬剤を、散剤瓶やＳＰ棚の装置瓶等の充填容器に移しかえる際、薬のパッケージのバーコードと同じバーコードを作って充填容器に貼り付け、これら２つのバーコードを照合して移しかえ作業を行うようにした技術が開示されている。
【００１０】
【特許文献１】特開２００３−１６２５８１号公報
【特許文献２】特開２００２−８３０４９号公報
【特許文献３】特開２００２−９２１６５号公報
【特許文献４】特開２０００−２１５２１０号公報
【非特許文献１】エフ・メディア株式会社、News Release、[online]、２００３年７月２１日、フォーマウィーク、［２００３年９月検索］、インターネット＜URL ; http://www.f-media.co.jp/fnews.html
【発明の開示】
【発明が解決しようとする課題】
【００１１】
ところで、本願発明者は、処方薬を間違えて取り揃えて準備し、調製し、患者に投与する、という医療事故を防止するために、また、注射薬を患者に適切な方法で投与可能にするために、２次元バーコードの技術を利用し、更に、通信ネットワークの構築を不必要とし、手軽さ、持運び、操作性等に優れた携帯型端末装置を利用した情報チェックシステムの開発を行った。
【００１２】
特許文献１の処方箋作成装置は、処方内容を患者に知られることなく、薬剤師に確実に知らせるために、２次元バーコード付きの処方箋を作成する技術であり、処方薬を間違えて取り揃え、調製し、患者に投与する、という医療事故を防止するためのものではなく、携帯型端末装置を利用した技術でもない。
【００１３】
特許文献２の投薬管理システムは、患者に薬剤を投与する際、携帯端末において、患者に付けた患者識別情報と薬剤に付けた薬剤識別情報を読取装置で読み取り、その薬剤がその患者に投与すべき薬剤であるか否チェックするものである。そのため、携帯端末には投薬指示データを記憶させておく必要があり、その投薬指示データを携帯端末に転送する通信ネットワークの構築が必要となると設備コスト的に不利になり、携帯端末への電波通信は医療機器に悪影響を及ぼす虞もあり望ましくない。
【００１４】
特許文献３の注射薬準備確認システムでは、薬剤混注前に、携帯端末において、薬剤の照合ラベルのバーコードを読み取り、読み取った情報を、ホストコンピュータから読み込んだ医師の注射処方情報と自動的に照合し、その照合結果に基づいて混注を行うが、ホストコンピュータから注射処方情報を携帯端末に転送する通信ネットワークの構築が必要となると前記同様の課題が生じる。
【００１５】
特許文献４の２次元バーコードシステムでは、患者氏名、読みがな、電話番号、生年月日、保険種別、番号、処方医師名、処方医療機関名、処方日、受付日、調整情報、等の情報をコード化した２次元バーコーを患者薬袋に印字するが、この特許文献２には、薬品をチェックする技術は開示も示唆もされていない。
【００１６】
尚、非特許文献１には、購入した薬剤を、散剤瓶やＳＰ棚の装置瓶等の充填容器に移しかえる際、薬のパッケージのバーコードと同じバーコードを作って充填容器に貼り付け、これら２つのバーコードを照合して移しかえ作業を行うようにしているが、その照合は薬品の種類程度であると推定され、この技術を、情報量の多い投薬情報（薬品の名称、用量、用法）を照合する技術に適用することは難しい。
【００１７】
本発明の目的は、端末装置への通信ネットワークの構築を不要とし、この端末装置として携帯型端末装置を利用し、設備コストを抑えたシステムとして、各患者の詳細な実施投薬情報を簡単に且つ確実にまた手軽にチェックすることができ、その実施投薬情報を種々の作業、業務に有効に活用することができる、実施投薬情報チェックシステムを提供することである。
【課題を解決するための手段】
【００１８】
請求項１の実施投薬情報チェックシステムは、複数の患者の各々に処方された処方箋の処方情報に基づいて各回に投与予定の１又は複数の薬品の薬品特定情報を含む実施投薬情報をチェックするシステムにおいて、複数種の薬品の各々について薬品特定情報をコード化した２次元バーコードであって薬品を収容する容器に夫々表示された２次元バーコードと、複数の患者の為の処方情報と実施投薬情報を記憶した電子カルテ手段と、前記電子カルテ手段から受ける患者別の実施投薬情報をコード化した２次元バーコードを印字する印字情報を作成する２次元バーコード印字情報作成手段を有し且つ前記電子カルテ手段から受ける患者別の処方情報と前記２次元バーコードとを印字した２次元バーコード付き帳票を作成する帳票作成装置と、２次元バーコード読取手段と、この２次元バーコード読取手段で帳票の２次元バーコードを読み取って得られた実施投薬情報を表示可能な表示手段と、その帳票から得られた実施投薬情報に含まれる薬品情報と投与対象の薬品の容器から２次元バーコード読取手段で読み取った２次元バーコードから得られた薬品特定情報とを照合する薬品チェック手段と、その照合結果を報知する報知手段とを有する端末装置とを備えたことを特徴とするものである。
【００１９】
この実施投薬情報チェックシステムには、電子カルテ手段、帳票作成装置、端末装置が設けられている。電子カルテ手段には、複数の患者の為の処方情報と実施投薬情報が記憶されており、帳票作成装置において、２次元バーコード印字情報作成手段により、電子カルテ手段から受ける患者別の実施投薬情報をコード化した２次元バーコードを印字する印字情報が作成され、電子カルテ手段から受ける患者別の処方情報と前記印字情報に基づく２次元バーコードとを印字した２次元バーコード付き帳票が作成される。
【００２０】
端末装置には、２次元バーコード読取手段、表示手段、薬品チェック手段、報知手段が設けられている。この端末装置において、２次元バーコード読取手段により、帳票の２次元バーコードが読み取られ、その２次元バーコードから得られた実施投薬情報を表示手段で表示させることができる。薬品チェック手段により、前記帳票（即ち、２次元バーコード）から得られた実施投薬情報に含まれる薬品情報と、投与対象の薬品の容器から２次元バーコード読取手段で読み取った２次元バーコードから得られた薬品特定情報が照合され、その照合結果が報知手段により報知される。
【００２１】
請求項２の実施投薬情報チェックシステムは、請求項１の発明において、前記端末装置が携帯型端末装置からなること特徴とするものである。手軽に持ち運ぶことができる携帯型端末装置を用いて、帳票の２次元バーコードの読み取り、その２次元バーコードから得られた実施投薬情報の表示、前記照合、その照合結果の報知を行うことができる。
【００２２】
請求項３の実施投薬情報チェックシステムは、請求項２の発明において、前記帳票作成装置は、各患者へ投与する注射薬についての実施投薬情報とその２次元バーコードを印字した帳票としての２次元バーコード付き注射箋を作成する注射箋作成手段を有することを特徴とするものである。
【００２３】
帳票作成装置において、注射箋作成手段により、各患者へ投与する注射薬についての実施投薬情報とその２次元バーコードを印字した２次元バーコード付き注射箋が作成され、携帯型端末装置においては、２次元バーコード読取手段により、注射箋の２次元バーコードが読み取られ、薬品チェック手段により、注射箋から得られた実施投薬情報に含まれる薬品情報と、投与対象の薬品の容器から２次元バーコード読取手段で読み取った２次元バーコードから得られた薬品特定情報が照合される。
【００２４】
請求項４の実施投薬情報チェックシステムは、請求項２又は３の発明において、前記帳票作成装置は、各患者へ投与する薬品を入れる薬袋であって、前記薬品に関する実施投薬情報とその２次元バーコードを印字した帳票としての２次元バーコード付き薬袋を作成する薬袋作成手段を有することを特徴とするものである。
【００２５】
帳票作成装置において、薬袋作成手段により、各患者へ投与する薬品を入れる薬袋であって、その薬品に関する実施投薬情報とその２次元バーコードを印字した２次元バーコード付き薬袋が作成され、携帯型端末装置においては、２次元バーコード読取手段により、薬袋の２次元バーコードが読み取られ、薬品チェック手段により、薬袋から得られた実施投薬情報に含まれる薬品情報と、投与対象の薬品の容器から２次元バーコード読取手段で読み取った２次元バーコードから得られた薬品特定情報が照合される。
【００２６】
請求項５の実施投薬情報チェックシステムは、請求項２又は３の発明において、前記帳票作成装置は、各患者に投与する輸液の容器に貼り付けるラベルであって、前記輸液に関する実施投薬情報とその２次元バーコードを印字した帳票としての２次元バーコード付きラベルを作成するラベル作成手段を有することを特徴とするものである。
【００２７】
帳票作成装置において、ラベル作成手段により、各患者に投与する輸液の容器に貼り付けるラベルであって、その輸液に関する実施投薬情報とその２次元バーコードを印字した２次元バーコード付きラベルが作成され、携帯型端末装置においては、２次元バーコード読取手段により、ラベルの２次元バーコードが読み取られ、薬品チェック手段により、ラベルから得られた実施投薬情報に含まれる薬品情報と、投与対象の薬品の容器から２次元バーコード読取手段で読み取った２次元バーコードから得られた薬品特定情報が照合される。
【００２８】
請求項６の実施投薬情報チェックシステムは、請求項２〜５の何れかの発明において、前記実施投薬情報は、投与する薬品の薬品情報以外に、投薬対象の患者の氏名、ＩＤ、年齢、性別の情報を含み、更に、その患者が入院患者の場合には入院病棟と病室の情報を含むことを特徴とするものである。実施投薬情報として、投与する薬品の薬品情報以外に、投薬対象の患者の氏名、ＩＤ、年齢、性別の情報、更に、その患者が入院患者の場合には入院病棟と病室の情報を、携帯型端末装置に取り込み、これらの実施投薬情報を表示手段で表示させチェックすることができる。
【００２９】
請求項７の実施投薬情報チェックシステムは、請求項６の発明において、前記実施投薬情報は、更に、投薬作業者、点滴速度、投与時間、投与ルートの情報を含むことを特徴とするものである。実施投薬情報として、更に、投薬作業者、点滴速度、投与時間、投与ルートの情報を、携帯型端末装置に取り込み、これらの実施投薬情報を表示手段で表示させチェックし、その薬品を患者に投与する際に利用することができる。
【００３０】
請求項８の実施投薬情報チェックシステムは、請求項２〜７の何れかの発明において、前記携帯型端末装置は、前記バーコード読取手段で読み取った２次元バーコードから得られた情報を記憶する読み取り情報記憶手段を有することを特徴とするものである。読み取り情報記憶手段に記憶させた実施投薬情報を表示手段で確実に表示させ、前記照合を確実に行うことができる。
【発明の効果】
【００３１】
請求項１の実施投薬情報チェックシステムによれば、帳票作成装置において、２次元バーコード印字情報作成手段により、電子カルテ手段から受ける患者別の実施投薬情報をコード化した２次元バーコードを印字する印字情報を作成し、電子カルテ手段から受ける患者別の処方情報と前記印字情報に基づく２次元バーコードとを印字した２次元バーコード付き帳票を作成することができる。また、端末装置において、２次元バーコード読取手段により、帳票の２次元バーコードを読み取り、その２次元バーコードから得られた実施投薬情報を表示手段で表示させることができ、薬品チェック手段により、前記帳票（即ち、２次元バーコード）から得られた実施投薬情報に含まれる薬品情報と、投与対象の薬品の容器から２次元バーコード読取手段で読み取った２次元バーコードから得られた薬品特定情報を照合し、その照合結果を報知手段により報知することができる。
【００３２】
このように、端末装置の２次元バーコード読取手段により、帳票の２次元バーコードを読み取り、また、投与対象の１又は複数の薬品の２次元バーコードを読み取ることにより、帳票に記録された薬品と投与対象の薬品とが一致しているか否か自動的に照合しチェックでき、その照合結果も報知されて容易に確認することができ、また、帳票の２次元バーコードから得られた実施投薬情報を表示手段で表示させて、実施投薬情報をチェックすることができる。即ち、端末装置への通信ネットワークの構築を不要とし、電波通信による医療機器の誤作動の誘発を防止できると共に、設備コストを抑えたシステムとして、各患者の詳細な実施投薬情報を簡単に且つ確実にチェックすることができ、その実施投薬情報を、薬品の取り揃え、薬品の調製、薬品の投与、等の種々の作業、業務に有効に活用することができるシステムとなる。
【００３３】
請求項２の実施投薬情報チェックシステムによれば、前記端末装置が携帯型端末装置からなるので、手軽に持ち運ぶことができる携帯型端末装置を用いて、帳票の２次元バーコードの読み取り、その２次元バーコードから得られた実施投薬情報の表示、前記照合、その照合結果の報知を行い、各患者の詳細な実施投薬情報を簡単に且つ確実にまた手軽にチェックすることができる。
【００３４】
請求項３の実施投薬情報チェックシステムによれば、帳票作成装置は、各患者へ投与する注射薬についての実施投薬情報とその２次元バーコードを印字した帳票としての２次元バーコード付き注射箋を作成する注射箋作成手段を有するので、帳票作成装置において、２次元バーコード付き注射箋を確実に作成することができ、携帯型端末装置において、注射箋の２次元バーコードを読み取り、注射箋から得られた実施投薬情報に含まれる薬品情報と、投与対象の薬品の容器から２次元バーコード読取手段で読み取った２次元バーコードから得られた薬品特定情報とを照合し、注射箋に基づいて取り揃えた薬品とその注射箋に記録された薬品が一致しているか否か確実にチェックして報知することができる。
【００３５】
請求項４の実施投薬情報チェックシステムによれば、各患者へ投与する薬品を入れる薬袋であって、その薬品に関する実施投薬情報とその２次元バーコードを印字した帳票としての２次元バーコード付き薬袋を作成する薬袋作成手段を有するので、帳票作成装置において、２次元バーコード付き薬袋を確実に作成することができ、携帯型端末装置において、薬袋の２次元バーコードを読み取り、薬袋から得られた実施投薬情報に含まれる薬品情報と、投与対象の薬品の容器から２次元バーコード読取手段で読み取った２次元バーコードから得られた薬品特定情報とを照合し、薬袋に記録された薬品とその薬袋に入れる薬品が一致しているか否か確実にチェックして報知することができる。
【００３６】
請求項５の実施投薬情報チェックシステムによれば、各患者に投与する輸液の容器に貼り付けるラベルであって、その輸液に関する実施投薬情報とその２次元バーコードを印字した帳票としての２次元バーコード付きラベルを作成するラベル作成手段を有するので、帳票作成装置において、２次元バーコード付きラベルを確実に作成することができ、携帯型端末装置において、ラベルの２次元バーコードを読み取り、ラベルから得られた実施投薬情報に含まれる薬品情報と、投与対象の薬品の容器から２次元バーコード読取手段で読み取った２次元バーコードから得られた薬品特定情報とを照合し、輸液の容器に貼り付けられるラベルに記録された薬品と、その輸液に含まれる薬品とが一致しているか否か確実にチェックして報知することができる。
【００３７】
請求項６の実施投薬情報チェックシステムによれば、実施投薬情報は、投与する薬品の薬品情報以外に、投薬対象の患者の氏名、ＩＤ、年齢、性別の情報を含み、更に、その患者が入院患者の場合には入院病棟と病室の情報を含むので、これらの情報を、携帯型端末装置に取り込み、表示手段で表示させチェックすることができる。
【００３８】
請求項７の実施投薬情報チェックシステムによれば、実施投薬情報は、更に、投薬作業者、点滴速度、投与時間、投与ルートの情報を含むので、これらの情報を、携帯型端末装置に取り込み、表示手段で表示させチェックし、その薬品を患者に投与する際に利用することができる。
【００３９】
請求項８の実施投薬情報チェックシステムによれば、携帯型端末装置は、バーコード読取手段で読み取った２次元バーコードから得られた情報を記憶する読み取り情報記憶手段を有するので、読み取り情報記憶手段に記憶させた実施投薬情報を表示手段で確実に表示させ、前記照合を確実に行うことができる。
【発明を実施するための最良の形態】
【００４０】
本発明の実施投薬情報チェックシステムは、複数の患者の各々に処方された処方箋の処方情報に基づいて各回に投与予定の１又は複数の薬品の薬品特定情報を含む実施投薬情報をチェックするシステムであり、特に、ガン患者についての実施投薬情報をチェックし、処方薬を間違えて取り揃えて準備し、調製し、患者に投与する、という医療事故を防止できる実施投薬情報チェックシステムである。
【実施例】
【００４１】
図１に示すように、実施投薬情報チェックシステム１は、複数種の薬品の各々について薬品特定情報をコード化した２次元バーコードであって薬品を収容する容器２，３に夫々表示された２次元バーコード２ａ，２ｂと、患者データファイル４と、薬品マスタファイル５と、プロトコールマスタファイル６と、実施プロトコールファイル７と、帳票作成装置８と、携帯型端末装置９とを備えている。
【００４２】
帳票作成装置８により２次元バーコード付き帳票１０を作成することができ、携帯型端末装置９において、帳票１０に表示された２次元バーコード１０ａと、薬品を収容する容器２，３に表示された２次元バーコード２ａ，２ｂとを読み取って得られた実施投薬情報を、適宜表示させ、チェックすることができる。尚、薬品を収容する容器として種々の形状、サイズの容器があるが、本実施例では、容器２，３としてアンプル瓶２とバイアル瓶３を例示する。
【００４３】
図２、図３に示すように、各容器２，３には、薬品名や規格量や成分や使用期限等が記載された薬品ラベル２ｂ，３ｂが貼り付けられており、その薬品ラベル２ｂ，３ｂに２次元バーコード２ａ，３ａが印字されている。図４に示すように、２次元バーコード２ａ，３ａにコード化された薬品特定情報は、薬品名、薬品コード、規格量、単位、製造年月日、使用期限、ロット番号、の情報を含んでいる。但し、薬品特定情報を、薬品コード、製造年月日、使用期限、ロット番号等の必要最小限の情報としてもよい。
【００４４】
ここで、各薬品を収容した容器２，３に表示された２次元バーコード２ａ，３ａは、薬品メーカー側が容器２，３に貼り付ける薬品ラベル２ｂ，３ｂに印字して構成されるものとする。但し、この実施投薬情報チェックシステム１に薬品ラベル作成装置又は２次元バーコードラベル作成装置を設け、その作成装置で作成された２次元バーコード付き薬品ラベル又は２次元バーコードラベルを、容器２，３に貼り付けるようにしてもよい。
【００４５】
次に、ファイル４〜７について説明する。
図５に示すように、患者データファイル４には、複数のガン患者を含む患者の患者データが記憶されており、各患者データとして、患者ＩＤ、氏名、年齢、性別、生年月日、住所、電話番号・・・、身長、体重、血液型・・・等のデータが記憶され、患者がガン患者の場合には、更に病名（ガンの名称）のデータが記憶されている。
【００４６】
図６に示すように、薬品マスタファイル５には、複数種の抗ガン剤を含む薬品の薬品マスタデータが記憶されており、各薬品マスタデータとして、薬品コード、薬品名、略称、規格量、入力単位、薬品区分、保存区分・・・、成分量、ｐＨのデータが記憶されている。尚、薬品が抗ガン剤の場合には、更にマスタ係数のデータを記憶させてもよい。
【００４７】
図７に示すように、プロトコールマスタファイル６には、複数種のプロトコールマスタデータが記憶されており、各プロトコールマスタデータとして、プロトコールコード、病名略称コード、病名、化学療法名、使用する１又は複数種の抗ガン剤を含む薬品の薬品コード及び薬品名、各抗ガン剤の目標値（マスタ係数）、各抗ガン剤の施用日程が記憶されている。これらのファイル４〜６の記憶情報に基づいて、各ガン患者の実施プロトコールデータを作成することができる。
【００４８】
図８に示すように、実施プロトコールファイル７には、複数のガン患者に対して作成された複数の実施プロトコールデータが記憶され、各実施プロトコールデータとして、患者ＩＤ、登録日、区分、患者の氏名と性別と生年月日と年齢、区分が入院の場合は患者の病棟と病室、診療科、担当の医師、種別、患者の身長と体重と体表面積とＣＣＲ、病名とガン化学療法名・・・、施用する薬品の薬品名、各薬品の施用日、各薬品の各回の投与量・・・、看護チーム区分、手技、点滴速度、点滴タイミング、投与時間、投与番号（順番）、トータル投与時間、投与ルート、ライン、投与器具の情報が記憶されている。
【００４９】
尚、実施プロトコールファイル７に記憶された、薬品名等が薬品特定情報に相当し、患者氏名、ＩＤ、年齢、性別、病棟、病室、薬品名（規格量）、数量、単位、看護チーム区分、手技、点滴速度、点滴タイミング、投与時間、投与番号、トータル投与時間、投与ルート、ライン、投与器具の情報が実施投薬情報に相当する。また、実施プロトコールファイル７には、処方箋の処方情報（薬品名、施用日、各回の投与量等）が含まれており、この実施プロトコールファイル５が電子カルテ手段に相当するものである。
【００５０】
次に、帳票作成装置８について説明する。
図１に示すように、帳票作成装置８は、コンピュータ本体１５、ディスプレイ１６、キーボード１７、マウス１８を備え、コンピュータ本体１５に、ディスプレイ１６、キーボード１７、マウス１８、プリンタ１９が接続されている。前記ファイル４〜７は、コンピュータ本体１５がアクセス可能な、例えばホストコンピュータの記憶部に記憶されている。但し、これらのファイル４〜７の全部又は一部を、コンピュータ本体１５のハードディスク等の記憶部に記憶させてもよい。
【００５１】
図９に示すように、帳票作成装置８は、注射箋印字情報作成手段２０、薬袋印字情報作成手段２１、ラベル印字情報作成手段２２、２次元バーコード印字情報作成手段２３、実施プロトコール作成手段２４、プリンタ制御手段２５を有し、これらの手段２０〜２５は、コンピュータ本体１５に格納されたソフトウェア等で構成されるものである。
【００５２】
２次元バーコード印字情報作成手段２３は、実施プロトコールファイル７から受ける患者別の実施投薬情報をコード化した２次元バーコードを印字する印字情報を作成するものであり、帳票作成装置８は、実施プロトコールファイル７から受ける患者別の処方情報と前記２次元バーコードとを印字した２次元バーコード付き帳票を作成する。図１０は、帳票に印字された２次元バーコードに含まれる実施投薬情報を示し、図１１は、実施投薬情報の薬品名（規格量）と数量と単位の情報を詳細に示した図である。
【００５３】
帳票作成装置８は、各患者へ投与する注射薬についての実施投薬情報とその２次元バーコード３０ａを印字した帳票としての２次元バーコード付き注射箋３０（図１２参照）を作成する注射箋作成手段として、注射箋印字情報作成手段２０、２次元バーコード印字情報作成手段２３、プリンタ制御手段２５、プリンタ１９が設けられている。
【００５４】
図１２に示すように、注射箋３０には、２次元バーコード３０ａとは別に、患者ＩＤ、氏名、生年月日、年齢、性別、診療科、病棟、病室、医師、登録日、出力日、実施日、処方薬の名称とその用量及び用法が印字されている。これらの文字情報を印字する為の注射箋印字情報が、注射箋印字情報作成手段２０により、実施プロトコールファイル７の記憶情報に基づいて作成される。そして、印字情報作成手段２０，２３で作成された印字情報に基づいて、プリンタ制御手段２５でプリンタ１９が制御され注射箋３０が作成される。
【００５５】
帳票作成装置８は、各患者へ投与する薬品を入れる薬袋３１であって、その薬品に関する実施投薬情報とその２次元バーコード３１ａを印字した帳票としての２次元バーコード付き薬袋３１（図１３参照）を作成する薬袋作成手段として、薬袋印字情報作成手段２１、２次元バーコード印字情報作成手段２３、プリンタ制御手段２５、プリンタ１９が設けられている。
【００５６】
図１３に示すように、薬袋３１には、２次元バーコード３１ａとは別に、患者ＩＤ、氏名、生年月日、年齢、性別、病室、診療科、医師、登録日、実施日、処方薬の名称とその用量及び用法が印字され、更には、調製の際の配合変化予測等の注意事項も印字されている。これらの文字情報を印字する為の注射箋印字情報が、薬袋印字情報作成手段２１により、実施プロトコールファイル７の記憶情報、更には、配合禁忌マスタファイル（図示略）等の記憶情報に基づいて作成される。
【００５７】
尚、薬袋３１の裏面には、調製手順やその注意事項等が印字され、これらの文字情報を印字する為の注射箋印字情報が、薬袋印字情報作成手段２１により、調製手順マスタファイル（図示略）等の記憶情報に基づいて作成される。そして、印字情報作成手段２１，２３で作成された印字情報に基づいて、プリンタ制御手段２５によりプリンタ１９が制御され薬袋３１が作成される。
【００５８】
帳票作成装置８は、各患者へ投与する輸液の容器に貼り付けるラベル３２であって、その輸液に関する実施投薬情報とその２次元バーコード３２ａを印字した帳票としての２次元バーコード付きラベル３２（図１４参照）を作成するラベル作成手段として、ラベル印字情報作成手段２２、２次元バーコード印字情報作成手段２３、プリンタ制御手段２５、プリンタ１９が設けられている。
【００５９】
図１４に示すように、ラベル３２には、２次元バーコード３２ａとは別に、病棟、病室、診療科、患者ＩＤ、氏名、生年月日、年齢、性別、医師名、実施日、処方薬の名称とその用量及び用法が印字されている。これらの文字情報を印字する為のラベル印字情報が、ラベル印字情報作成手段２２により、実施プロトコールファイル７の記憶情報に基づいて作成される。そして、印字情報作成手段２２，２３で作成された印字情報に基づいて、プリンタ制御手段２５によりプリンタ１９が制御されラベル３２が作成される。
【００６０】
次に、携帯型端末装置９について説明する。
図１５、図１６に示すように、携帯型端末装置９は、２次元バーコードリーダ４０（２次元バーコード読取手段）、スピーカ４１、情報処理部４２、情報記憶部４３、ディスプレイからなる表示部４４、入力操作部４５を備え、これらはバス等で接続されている。
【００６１】
情報処理部４２と情報記憶部４３の構成については、図１７に示すように、情報処理部４２に、薬品チェック手段５０、表示情報作成手段５１、表示制御手段５２、音声制御手段５３が設けられ、情報記憶部４３に、読み取り情報記憶手段５４、薬品マスタ情報記憶手段５５が設けられている。
【００６２】
２次元バーコードリーダ４０により、薬品の容器に表示された２次元バーコード、帳票に表示された２次元バーコードが読み取られ、その２次元バーコードから得られた情報が読み取り情報記憶手段５４に記憶される。読み取り情報記憶手段５４の記憶情報に基づいて、表示情報作成手段５１により表示情報が作成され、その表示情報に基づいて表示制御手段５２により表示部４４が制御されて、表示部４４に種々の情報が表示される。
【００６３】
例えば、２次元バーコードリーダ４０により、図２、図３のような薬品の容器２，３に表示された２次元バーコード２ａ，３ａが読み取られると、その２次元バーコード２ａ，３ａから得られた図４の薬品特定情報が読み取り情報記憶手段５４に記憶されて、表示部４４に図１８の画面が表示され、この画面を見て、その薬品の薬品名、規格量、製造年月日、使用期限、ロット番号等をチェックすることができる。
【００６４】
ここで、薬品マスタ情報記憶手段５５には、図６と同等の情報、即ち、複数種の抗ガン剤を含む薬品の薬品マスタデータが記憶されており、各薬品マスタデータとして、薬品コード、薬品名、略称、規格量、入力単位、薬品区分、保存区分・・・、成分量、ｐＨのデータが記憶されている。尚、略称、薬品区分、保存区分等の情報は省略可能である。この薬品マスタ情報記憶手段５５に薬品マスタデータを登録する場合、２次元バーコードリーダ４０薬品の２次元バーコードを読み取り、その情報の少なくとも一部を薬品マスタデータとして登録することもできる。
【００６５】
ところで、前述のように、薬品の容器２，３に表示された２次元バーコード２ａ，３ａにコード化された薬品特定情報を、薬品コード、製造年月日、使用期限、ロット番号等の必要最小限の情報とした場合、その薬品コードが含まれる薬品マスタデータを薬品マスタ情報記憶手段５５から読み出し、その情報に基づいて、規格量を含む例えば図１８に示す情報を表示部４４に表示させるようにしてもよい。
【００６６】
例えば、２次元バーコードリーダ４０により、図１２のような注射箋３０に表示された２次元バーコード３０ａ、図１３のような薬袋３１に表示された２次元バーコード３１ａ、図１４のようなラベル３２に表示された２次元バーコード３２ａが読み取られると、その２次元バーコードから得られた図１０の実施投薬情報が読み取り情報記憶手段５４に記憶され、その実施投薬情報の一部又は全部が表示部４４に表示される。
【００６７】
ここで、実施投薬情報の表示形態については、注射箋３０、薬袋３１、ラベル３２の何れの２次元バーコード３０ａ，３１ａ，３２ａを２次元バーコードリーダ４０で読み取った場合も同一の表示形態となるようにしてもよいし、注射箋３０、薬袋３１、ラベル３２に応じて異なる表示形態となるようにしてもよい。
【００６８】
例えば、図１２の注射箋３０の２次元バーコード３０ａが読み取られた場合、先ず、表示部４４に図１９の画面が表示され、その画面を見て、患者の氏名、年齢、性別、診療科、病棟、病室、実施日をチェックすることができる。また、表示部４４に処方数（例えば、処方１、処方２、処方３）が表示され、その何れかを指示すると処方画面が表示される。例えば、「処方１」を指示すると、表示部４４に図２０の画面が表示され、その画面を見て、処方１の複数の処方薬とその用量法及び用法をチェックすることができる。尚、「戻る」を指示すると前の画面に戻ることができる。
【００６９】
例えば、図１３の薬袋３１の２次元バーコード３１ａが読み取られた場合、表示部４４には、注射箋３０の２次元バーコード３０ａが読み取られた場合と同様の画面と、更に、調製手順の情報の（図示略）を表示させるようにしてもよい。つまり、調製手順の情報を表示部４４に表示させてチェックすることができる。この場合、調製手順情報は、例えば、帳票作成装置８において、調製手順マスタファイルの記憶情報に基づいて作成され、薬袋３１の２次元バーコード３１ａは、その調製手順情報もコード化したものとなる。
【００７０】
例えば、図１４のラベル３２の２次元バーコード３２ａが読み取られた場合、表示部４４には、注射箋３０の２次元バーコード３０ａが読み取られた場合と同様の画面と、更に、図２１の画面を表示させることができる。ラベル３２は調製済みの注射薬を収容した容器（輸液バッグ等）に貼り付けられるものであり、看護師等がその注射薬を患者に投与する場合、図２１の画面を表示させそれを見て、看護チーム区分、手技、点滴速度、点滴タイミング、投与時間、投与番号（順番）、トータル投与時間、投与ルート、ライン、投与器具等をチェックすることができる。
【００７１】
ここで、看護チーム区分とは、患者に投薬を実施する看護師の看護チームの区分、手技とは、患者に投薬を行う際に患者のどの部位に注射針を刺すか等の手法、点滴速度とは、患者に注射薬を点滴により投与する際の点滴速度（例えば、数分、数秒あたりの点滴数）、点滴タイミングとは、朝、昼、夕等、患者に注射薬を投与する時期、投与時間とは、患者に注射薬を投与する時間（例えば、８時等）、投与番号（順番）とは、患者に１日に投与すべき複数の注射薬がある場合、これら注射薬を投与する順番、トータル投与時間とは、患者に１日に投与すべき複数の注射薬がある場合、これら全ての注射薬を点滴により投与する時間、投与ルートとは、例えば、腕の静脈等、患者に注射薬を投与する際の注射部位を含むルート、ラインとは、１又は複数ルートで注射薬を投与する際に必要なチューブ等のラインの情報、投与器具等とは、患者に注射薬を投与する際に使用する器具（例えば、輸液ポンプ、三方活栓等）、である。
【００７２】
尚、表示情報作成手段５１、表示制御手段５２、表示部４４が、２次元バーコードリーダ４０で帳票の２次元バーコードを読み取って得られた実施投薬情報を表示可能な表示手段に相当するものである。
【００７３】
さて、図１７に示すように、携帯型端末装置９において、薬品チェック手段５０は、２次元バーコードリーダ４０で、帳票としての注射箋３０、薬袋３１、ラベル３２の２次元バーコード３０ａ，３１ａ，３２ａを読み取り、その注射箋３０、薬袋３１、ラベル３２から得られた実施投薬情報に含まれる薬品情報と投与対象の薬品の容器２，３から２次元バーコードリーダ４０で読み取った２次元バーコード２ａ，３ａから得られた薬品特定情報とを照合するものである。
【００７４】
前記注射箋３０、薬袋３１、ラベル３２から得られた実施投薬情報に含まれる薬品情報とは、図１０の実施投薬情報の中の、１又は複数の薬品名（規格量）、各薬品の単位、各薬品の数量の情報である。つまり、薬品チェック手段５０は、各帳票（注射箋３０、薬袋３１、ラベル３２）の２次元バーコードから得られた薬品名、規格量、単位、数量と、薬品の容器の２次元バーコードから得られた薬品の薬品名、規格量、単位、数量とを照合し、これらが完全に一致しているか否か判定してチェックする。
【００７５】
尚、薬品の容器２，３に表示された２次元バーコード２ａ，３ａにコード化された薬品特定情報を、薬品コード、製造年月日、使用期限、ロット番号等の必要最小限の情報とした場合、その薬品コードが含まれる薬品マスタデータを薬品マスタ情報記憶手段５５から読み出し、その情報を薬品チェックの際に適用する。この場合、薬品コードが同じでも、規格量が異なる複数の薬品情報が薬品マスタ情報記憶手段５５に記憶されている場合、これら複数の薬品情報（規格量を含む）を表示部４４に表示させ、そのうちの何れがチェックしたい（また取り揃えた）薬品であるか否か選択できるようにする、薬品ダブリチェック機能を備えることが望ましい。
【００７６】
ここで、処方された複数の薬品の中に同一の薬品が複数含まれる場合がある。この場合、複数の同一薬品（規格量）の２次元バーコードを読み取ると、情報記憶手段５４に、同一薬品のデータを重複する形で記憶させてもよいし、重複するデータについては記憶せず、同一の薬品の数量を計数して記憶させてもよい。
【００７７】
前記のように薬品チェック手段５０により照合を行った後、その照合結果が報知される。具体的には、表示制御手段５２により表示部４４が制御され、前記薬品名、規格量、単位、数量が一致している場合には、例えば、図２２に示すように、表示部４４に「薬品一致  ＯＫ！」の文字が表示されて報知され、一致していない場合には、例えば、図２３に示すように、表示部４４に「薬品不一致  ＮＧ」が表示されて報知され、このとき、不足している薬品、異なった薬品を求めて表示させるようにしてもよい。
【００７８】
尚、表示制御手段５４と表示部４４が報知手段に相当するものである。また、音声制御手段５３によりスピーカ４１が制御され、例えば、一致音と不一致音を予め設定しておいて、その何れかを鳴らして報知するようにしてもよい。この場合、音声制御手段５３とスピーカ４１が報知手段に相当する。また、報知手段として、携帯型端末装置９にバイブレータを内蔵しておいて、例えば、一致しない場合にはバイブレータを作動させて報知し、大いに注意を促すようにしてもよい。
【００７９】
次に、前記薬品チェックと報知を含む処理の具体例について、情報処理部４２が実行する図２４〜図２６のフローチャート（フローチャート中のＳｉ（ｉ＝１、２、３・・・）は各ステップを示す）に基づいて説明する。
【００８０】
図２４の薬品チェック処理は、薬剤師が注射箋３０に基づいて取り揃えた１又は複数の薬品をチェックする場合に適用する処理である。この処理は、例えば、入力操作部４５により所定のチェック開始操作が行われたこと、或いは、２次元バーコードリーダ４０により所定のチェック開始バーコードが読み取られたことにより開始される。
【００８１】
図２４に示すように、この薬品チェック処理が開始されると、先ず、注射箋３０の２次元バーコード３０ａが２次元バーコードリーダ４０により読み取られ（Ｓ１）、その２次元バーコード３０ａから得られた実施投薬情報が読み取り情報記憶手段５４に記憶される（Ｓ２）。次に、薬剤師によって取り揃えられた投与対象の１又は複数の薬品の中の１つ薬品の２次元バーコード２ａ，２ｂが２次元バーコードリーダ４０により読み取られ（Ｓ３）、その２次元バーコードリーダ４０から得られた薬品特定情報が読み取り情報記憶手段５４に記憶される（Ｓ４）。
【００８２】
次に、２次元バーコードの読み取りが終了していない場合（Ｓ５；No）、つまり、取り揃えた薬品の中にその２次元バーコードを２次元バーコードリーダ４０で読み取っていない薬品がある場合には、Ｓ３へリターンし、Ｓ３とＳ４が実行される。こうして、取り揃えた全ての薬品の２次元バーコードが２次元バーコードリーダ４０で読み取られ、その後、例えば、入力操作部４５により所定の読み取り終了操作が行われたこと、或いは、２次元バーコードリーダ４０により所定の読み取り終了バーコードが読み取られたことにより、取り揃え薬品チェック処理（Ｓ６）が実行される。
【００８３】
Ｓ６の取り揃え薬品チェック処理では、読み取り情報記憶手段５４に記憶された、注射箋の実施投薬情報の薬品名、規格量、単位、数量の情報と、薬品特定情報の薬品の薬品名、規格量、単位、数量とが照合され、これらが完全に一致しているか否か判定されチェックされる。その照合の結果、取り揃えた薬品と注射箋３０に記録された薬品が一致している場合には（Ｓ７；Yes ）、一致している旨が、表示部４４に図２２の画面を表示させる等して報知され（Ｓ８）、終了する。
【００８４】
一方、取り揃えた薬品と注射箋３０に記録された薬品が一致していない場合には（Ｓ７；No）、一致していない旨が、表示部４４に図２３の画面を表示させる等して報知され（Ｓ９）、その後、エラー処理（Ｓ１０）が行われ、処理を継続する場合には（Ｓ１１；Yes ）、読み取り記憶手段５４に記憶された薬品特定情報がクリアーされて、Ｓ３へリターンし、処理を継続しない場合には（Ｓ１１；No）、終了する。
【００８５】
図２５の薬品チェック処理は、薬剤師が取り揃えた１又は複数の薬品と、それを入れる薬袋３１をチェックする場合に適用する処理であり、薬剤師が取り揃えた１又は複数の薬品を薬袋３１に入れる際、或いは、薬剤師が薬袋３１に入れた１又は複数の薬品を取り出して調製する際に利用することができる。
【００８６】
図２５に示すように、この処理は、図２４の処理と同様の操作により開始され、先ず、薬袋３１の２次元バーコード３１ａが２次元バーコードリーダ４０により読み取られ（Ｓ２１）、その２次元バーコード３１ａから得られた実施投薬情報が読み取り情報記憶手段５４に記憶される（Ｓ２２）。次に、Ｓ２３〜Ｓ２５は、図２４のＳ３〜Ｓ５と同様であり、その後、薬品・薬袋チェック処理（Ｓ２６）が行われる。
【００８７】
Ｓ２６の薬品・薬袋チェック処理では、薬袋の実施投薬情報の薬品名、規格量、単位、数量の情報と、薬品特定情報の薬品の薬品名、規格量、単位、数量とが照合され、これらが完全に一致しているか否か判定されチェックされる。その照合の結果、取り揃えた薬品と薬袋３１に記録された薬品が一致している場合には（Ｓ２７；Yes ）、一致している旨が、表示部４４に図２２の画面を表示させる等して報知され（Ｓ８）、終了し、一致していない場合には（Ｓ２７；No）、一致していない旨が、表示部４４に図２３の画面を表示させる等して報知される（Ｓ２９）。Ｓ３０とＳ３１は、図２４のＳ１０とＳ１１と同様である。
【００８８】
図２６の薬品チェック処理は、薬剤師が取り揃えた１又は複数の薬品と、その薬品を調製した注射薬を入れる輸液の容器に貼り付けるラベル３２をチェックする場合に適用する処理であり、図２５の処理後、引き続き行うこともできる。
【００８９】
図２６に示すように、この処理は、図２４の処理と同様の操作により開始され、先ず、ラベル３２の２次元バーコード３２ａが２次元バーコードリーダ４０により読み取られ（Ｓ４１）、その２次元バーコード３２ａから得られた実施投薬情報が読み取り情報記憶手段５４に記憶される（Ｓ４２）。次に、Ｓ４３〜Ｓ４５は、図２４のＳ３〜Ｓ５と同様であり、その後、薬品・ラベルチェック処理（Ｓ２６）が行われる。
【００９０】
ここで、図２５の処理後にこの処理を引き続き行う場合、図２４の処理において、Ｓ２５で読み取られた薬品の２次元バーコード２ａ，３ａから得られた薬品特定情報が適用され、それ故、Ｓ４３〜Ｓ４５を省略することができる。この場合、図２５の処理後、或いはＳ２６において何らかの操作を行うことにより達成することができる。
【００９１】
Ｓ４６の薬品・ラベルチェック処理では、ラベルの実施投薬情報の薬品名、規格量、単位、数量の情報と、薬品特定情報の薬品の薬品名、規格量、単位、数量とが照合され、これらが完全に一致しているか否か判定されチェックされる。その照合の結果、取り揃えた薬品とラベル３２に記録された薬品が一致している場合には（Ｓ４７；Yes ）、一致している旨が、表示部４４に図２２の画面を表示させる等して報知され（Ｓ８）、終了し、一致していない場合には（Ｓ４７；No）、一致していない旨が、表示部４４に図２３の画面を表示させる等して報知される（Ｓ４９）。Ｓ４０とＳ４１は、図２４のＳ１０とＳ１１と同様である。
【００９２】
以上説明した実施投薬情報チェックシステム１の作用・効果について説明する。
この実施投薬情報チェックシステム１によれば、帳票作成装置８において、２次元バーコード印字情報作成手段２３により、電子カルテ手段に相当する実施プロトコールファイル７から受ける患者別の実施投薬情報をコード化した２次元バーコードを印字する印字情報を作成し、実施プロトコールファイル７から受ける患者別の処方情報と前記印字情報に基づく２次元バーコードとを印字した２次元バーコード付き帳票を作成ができる。
【００９３】
また、携帯型端末装置９において、２次元バーコードリーダ４０により、帳票（注射箋３０、薬袋３１、ラベル３２）の２次元バーコード３０ａ，３１ａ，３２ａを読み取り、その２次元バーコード３０ａ，３１ａ，３２ａから得られた実施投薬情報を表示部４４に表示させることができ、薬品チェック手段５０により、前記帳票（即ち、２次元バーコード）から得られた実施投薬情報に含まれる薬品情報と、投与対象の薬品の容器から２次元バーコードリーダ４０で読み取った２次元バーコードから得られた薬品特定情報を照合し、その照合結果を表示部４４等に表示して報知することができる。
【００９４】
このように、携帯型端末装置９の２次元バーコードリーダ４０により、帳票の２次元バーコードを読み取り、また、投与対象の１又は複数の薬品の２次元バーコードを読み取ることにより、帳票に記録された薬品と投与対象の薬品とが一致しているか否か自動的に照合しチェックでき、その照合結果も報知されて容易に確認することができ、また、帳票の２次元バーコードから得られた実施投薬情報を表示手部４４に表示させて、実施投薬情報をチェックすることができる。
【００９５】
即ち、携帯型端末装置９への通信ネットワークの構築を不要とし、設備コストを抑えたシステムとして、電波通信による医療機器の誤作動の誘発を防止できると共に、各患者の詳細な実施投薬情報を簡単に且つ確実にまた手軽にチェックでき、その実施投薬情報を、薬品の取り揃え、薬品の調製、薬品の投与、等の種々の作業、業務に有効に活用することができるシステムとなる。
【００９６】
帳票作成装置８に注射箋作成手段としての注射箋情報作成手段２０等を設けたので、帳票作成装置８において、２次元バーコード付き注射箋を確実に作成することができ、携帯型端末装置９において、注射箋の２次元バーコードを読み取り、注射箋から得られた実施投薬情報に含まれる薬品情報と、投与対象の薬品の容器から２次元バーコードリーダ４０で読み取った２次元バーコードから得られた薬品特定情報とを照合し、注射箋に基づいて取り揃えた薬品とその注射箋に記録された薬品が一致しているか否か確実にチェックして報知できる。
【００９７】
帳票作成装置８に薬袋作成手段としての薬袋印字情報作成手段２１等を設けたので、帳票作成装置８において、２次元バーコード付き薬袋を確実に作成することができ、携帯型端末装置９において、薬袋の２次元バーコードを読み取り、薬袋から得られた実施投薬情報に含まれる薬品情報と、投与対象の薬品の容器から２次元バーコードリーダ４０で読み取った２次元バーコードから得られた薬品特定情報とを照合し、薬袋に記録された薬品とその薬袋に入れる（入れた）薬品が一致しているか否か確実にチェックして報知できる。
【００９８】
帳票作成装置８にラベル作成手段としてのラベル印字情報作成手段２３等を設けたので、帳票作成装置８において、２次元バーコード付きラベルを作成することができ、携帯型端末装置９において、ラベルの２次元バーコードを読み取り、ラベルから得られた実施投薬情報に含まれる薬品情報と、投与対象の薬品の容器から２次元バーコード読取手段で読み取った２次元バーコードから得られた薬品特定情報とを照合し、輸液の容器に貼り付けられるラベルに記録された薬品と、輸液に含まれる薬品とが一致しているか否か確実にチェックして報知できる。
【００９９】
前記実施投薬情報は、投与する薬品の薬品情報以外に、投薬対象の患者の氏名、ＩＤ、年齢、性別の情報を含み、更に、その患者が入院患者の場合には入院病棟と病室の情報を含むので、これらの情報を、携帯型端末装置に取り込み、表示手段で表示させチェックすることができ、更に、投薬作業者、点滴速度、投与時間、投与ルートの情報を含むので、これらの情報を、携帯型端末装置に取り込み、表示手段で表示させチェックし、その薬品を患者に投与する際に利用することができる。
【０１００】
尚、前記実施例を次のように変更してもよい。
１］この実施投薬情報チェックシステム１は、ガン患者以外の、複数の患者の各々に処方された処方箋の処方情報に基づいて各回に投与予定の１又は複数の薬品の薬品特定情報を含む実施投薬情報をチェックするシステムとして適用することができる。
【０１０１】
２］複数の患者の為の処方情報と実施投薬情報を記憶した電子カルテ手段として、実施プロトコールファイル以外に、ガン患者以外の患者の為の処方情報と実施投薬情報も記憶可能とする、カルテ情報ファイルを設けてもよい。また、処方情報と実施投薬情報を処方情報ファイルと実施投薬情報ファイルに別々に記憶させてもよい。
【０１０２】
３］前記実施例において、携帯型端末装置の代わりにパソコン等の端未装置を適用することができる。
４］その他、本発明の趣旨を逸脱しない範囲において種々の変更を付加して実施することができる。
【図面の簡単な説明】
【０１０３】
【図１】本発明の実施例に係る実施投薬情報チェックシステムの構成図である。
【図２】アンプルの斜視図である。
【図３】バイアルの斜視図である。
【図４】薬品特定情報の図表である。
【図５】患者データファイルの患者データの図表である。
【図６】薬品マスタファイルの薬品マスタデータの図表である。
【図７】プロトコールマスタファイルのプロトコールマスタデータの図表である。
【図８】実施プロトコールファイルの実施プロトコールデータの図表である。
【図９】各種ファイルと帳票作成装置の機能ブロック図である。
【図１０】帳票の実施投薬情報の図表である。
【図１１】実施投薬情報の一部の詳細な情報の図表である。
【図１２】注射箋の正面図である。
【図１３】薬袋の正面図である。
【図１４】ラベルの正面図である。
【図１５】携帯型端末装置の正面図である。
【図１６】携帯型端末装置の機能ブロック図である。
【図１７】各種２次元バーコードと携帯型端末装置の詳細なブロック図である。
【図１８】携帯型端末装置の正面図である。
【図１９】携帯型端末装置の正面図である。
【図２０】携帯型端末装置の正面図である。
【図２１】携帯型端末装置の正面図である。
【図２２】携帯型端末装置の正面図である。
【図２３】携帯型端末装置の正面図である。
【図２４】薬品チェック処理のフローチャートである。
【図２５】薬品チェック処理のフローチャートである。
【図２６】薬品チェック処理のフローチャートである。
【符号の説明】
【０１０４】
１          実施投薬情報チェックシステム
２ａ，３ａ，３０ａ，３１ａ，３２ａ  ２次元バーコード
２          アンプル
３          バイアル
７          実施プロトコールファイル
８          帳票作成装置
１０        帳票
２０        注射箋印字情報作成手段
２１        薬袋印字情報作成手段
２２        ラベル印字情報作成手段
２３        ２次元バーコード印字情報作成手段
４０        ２次元バーコードリーダ
４１        スピーカ
４４        表示部
５０        薬品チェック手段
５１        表示情報作成手段
５２        表示制御手段
５３        音声制御手段
５４        読み取り情報記憶手段
【図１】
2005128666.tif 000003
【図２】
2005128666.tif 000004
【図３】
2005128666.tif 000005
【図４】
2005128666.tif 000006
【図５】
2005128666.tif 000007
【図６】
2005128666.tif 000008
【図７】
2005128666.tif 000009
【図８】
2005128666.tif 000010
【図９】
2005128666.tif 000011
【図１０】
2005128666.tif 000012
【図１１】
2005128666.tif 000013
【図１２】
2005128666.tif 000014
【図１３】
2005128666.tif 000015
【図１４】
2005128666.tif 000016
【図１５】
2005128666.tif 000017
【図１６】
2005128666.tif 000018
【図１７】
2005128666.tif 000019
【図１８】
2005128666.tif 000020
【図１９】
2005128666.tif 000021
【図２０】
2005128666.tif 000022
【図２１】
2005128666.tif 000023
【図２２】
2005128666.tif 000024
【図２３】
2005128666.tif 000025
【図２４】
2005128666.tif 000026
【図２５】
2005128666.tif 000027
【図２６】
2005128666.tif 000028